(57)【要約】【課題】本発明の目的は、上記課題を解決することにある。また、光ディスク状記録媒体に情報を記録する撮影装置の小型化を図ることを目的する。【解決手段】上記目的を達成するため、本発明は、光ディスクを記録媒体とした撮影装置において、撮影装置の両側に配置された本体を構成する（カートリッジカバーではない）二つの構造部材にグリップベルト取り付け用の支持部を設けることとする。また、光ディスクを撮影方向に対して垂直に挿抜する構成とする。また、カートリッジとして、丸型のカートリッジを用いることを特徴とする。また、丸型カートリッジの厚さを５．２ｍｍとし、丸型カートリッジのディスク平面の縦（又は横）の長さを８０ｍｍ、丸型カートリッジのディスク平面の横（又は立て）の長さを８０ｍｍ＋５ｍｍとする。また、カートリッジカバーの支点を軸に対するカートリッジカバーと撮影装置との開放角度を２３度から３４度の範囲とする。また、カートリッジ開放カバーの開放をモータにより行なう構成とする。【選択図】  図６
2004214752.tif 000002
【特許請求の範囲】
【請求項１】
光ディスクに情報を記録する撮影装置において、
前記撮影装置の撮像素子側の第一の部材にグリップベルト用の第一の支持部を形成し、
前記撮影装置の画像表示側の第二の構造部材にグリップベルト用の第二の支持部を形成し、
前記第一の支持部と第二の支持部との間に前記光ディスク装着手段を有する撮影装置。
【請求項２】
請求項１記載の撮影装置であって、
前記光ディスク装着手段の光ディスクの挿抜方向は、前記撮影装置の撮影方向に対して垂直であることを特徴とする撮影装置。
【請求項３】
請求項１又は請求項２に記載の撮影装置であって、
前記第一の支持部と前記第二の支持部は、前記光ディスク装着手段の支点側にある撮影装置。
【請求項４】
請求項１から３のいずれかに記載の撮影装置であって、
前記光ディスク装着手段は、前記光ディスクの装着手段の支点として、前記撮影装置の開放角度は２３度から３４度の範囲内である撮影装置。
【請求項５】
情報を撮影する撮影装置において、
丸型カートリッジに収納されたＤＶＤに情報を記録する撮影装置。
【発明の詳細な説明】
【０００１】
【発明の属する技術分野】
本発明は、ディスク状記録媒体に情報を記録する撮影装置に関する。
【０００２】
【従来の技術】
携帯性のあるカメラでは、カメラ（以下、カメラは撮影装置を意味する）を保持する際に、万一手をゆるめても前記カメラが落下しないように、手の甲を押さえるグリップベルトが設けられている。
そして、近年、交換可能な情報記録用ディスクを有する携帯型情報機器の一つの例として、ＤＶＤ（Ｄｉｇｉｔａｌ  Ｖｅｒｓａｔｉｌｅ Ｄｉｓｃ）に代表される光ディスクを情報記録用媒体として利用したカメラ（以下、ＤＶＤカメラと称す）が市場に現れている。このＤＶＤカメラのグリップベルト支持部の取り付け機構では、光ディスクは角型カートリッジに収納されており、ＤＶＤカメラの角型カートリッジの挿抜方向は撮影方向に平行であり、角型カートリッジを撮影者側から挿抜するようになっている。また、撮影者側からの角型カートリッジの挿抜時にグリップベルトが挿抜を妨げないようにするため、ディスクカバーにグリップベルト支持部の一端を設けている。この従来技術を図１から図４を用いて以下説明する。
【０００３】
図１は、従来のＤＶＤカメラ１の斜視図である。グリップベルト支持部の取り付け機構としては、ディスクカバー２に設けられた支持部Ｅと、本カメラの本体の一部を構成するグリップ側カバー１４に設けられた支持部Ｆの位置で支持されたグリップベルト３とからなる。使用者は、グリップベルト３とディスクカバー２の間に右手を通し、グリップ部としてＤＶＤカメラ１を保持することができる。ここで、ディスクカバー２を閉めたとき、本体に固定するためのロック機構は支持部Ｅの部分に設けてある。
【０００４】
図２は、ＤＶＤカメラ１から角型カートリッジ４を取り出した状態の斜視図である。カバー操作ボタン５を操作することで、ディスクカバー２がＡ方向に開き、角型カートリッジ４をＢ方向に挿抜することができる。
【０００５】
図３は、ＤＶＤカメラ１のディスク装着装置１１に角型カートリッジ４を挿抜する時の位置関係を示したものである。図１の説明で述べた内容と同様に、角型カートリッジ４をＢ方向に挿抜するようになっている。
【０００６】
図４はディスクカバー２を図１の右下面が正面になるように配置した図である。図１で説明したように、支持部Ｅと支持部Ｆの箇所でグリップベルト３を支持している。Ｇはディスクカバー２の開閉の支点の軸を表している。（例えば、非特許文献１）。
【０００７】
【非特許文献１】
堀部編、「デジタルＣＡＰＡ」、２００２−４、（株）学習研究社、
２００２年４月１日、第１８巻第４号、通巻１８７号、ｐ．９８
【０００８】
【発明が解決しようとする課題】
上記従来技術では、ロック機構のスペースの低減が課題であった。また、カートリッジカバーを開放するための開放支持ボタンのスペースの低減が課題であった。また、カートリッジのスペースの低減が課題であった。また、カートリッジカバーの支点軸の補強部材の低減が課題であった。また、カートリッジを挿入する際にカートリッジカバーの開きが広すぎると誤挿入を起こし、カートリッジを取り出す際にカートリッジカバーの開きが狭すぎるとカートリッジを取り出すことが困難であるという課題がある。
【０００９】
本発明の目的は、上記課題を解決することにある。また、光ディスク状記録媒体に情報を記録する撮影装置の小型化を図ることを目的する。
【００１０】
【課題を解決するための手段】
上記目的を達成するため、本発明は、光ディスクを記録媒体とした撮影装置において、撮影装置の両側に配置された本体（カートリッジカバーではない）を構成する二つの構造部材にグリップベルト取り付け用の支持部を設けることとする。また、グリップベルトの取り付け用支持部は、撮影装置全体の高さの半分よりも下の位置（即ち、撮影装置を通常の状態で地面においた際に、空側よりも地面側に近い位置）にあることを特徴とする。また、光ディスクを撮影方向に対して垂直に挿抜する構成とする。また、カートリッジとして、丸型のカートリッジを用いることを特徴とする。また、丸型カートリッジの厚さを５．２ｍｍとし、丸型カートリッジのディスク平面の縦（又は横）の長さを８０ｍｍ、丸型カートリッジのディスク平面の横（又は立て）の長さを８０ｍｍ＋５ｍｍとする。また、カートリッジカバーの支点を軸に対するカートリッジカバーと撮影装置との開放角度を２３度から３４度の範囲とする。また、カートリッジ開放カバーの開放をモータにより行なう構成とする。
【００１１】
【発明の実施の形態】
本発明を光ディスクを使用したＤＶＤカメラに適用した一実施例を、図５から図８を参照しながら説明する。
【００１２】
本実施形態においては、丸型のカートリッジに情報を記録するカメラとする。丸型カートリッジとは、８ｍｍの光ディスクを収納するケースであり、厚み５．２ｍｍ、丸型カートリッジのディスク平面の縦（又は横）の長さが８０ｍｍ、丸型カートリッジのディスク平面の横（又は立て）の長さが８０ｍｍ＋αｍｍ（αは１から９ｍｍ）とする。このように、丸型のカートリッジに情報を記録するカメラとすることにより、カメラの小型化を図ることができる。
【００１３】
図５は、本発明を実施したＤＶＤカメラ６の斜視図である。グリップベルト支持部の取り付け機構としては、本カメラの本体後部の一部を構成する撮影者側カバー１３に設けられた支持部Ｈと本カメラの本体前部の一部を構成する撮影レンズ側カバー１５に設けられた支持部Ｉの位置で支持されたグリップベルト８とからなる。使用者は、グリップベルト８とディスクカバー７の間に右手を通し、グリップ部としてＤＶＤカメラ６を保持することができる。ここで、支持部Ｈと支持部Ｉは、本体を構成する強度を持った撮影者側カバー１３と撮影レンズ側カバー１５に設けられているので、強度を保つような板厚で構成することができる。また、ディスクカバー７には保持のための支持部がないため、板厚を薄くでき、小型化及び薄型化が可能となる。
【００１４】
図６は、ＤＶＤカメラ６から丸型カートリッジ１０を取り出した状態の斜視図である。カバー操作ボタン９を操作することで、ディスクカバー７がＣ方向に所定の角度の範囲内で開き、丸型カートリッジ１０をＤ方向に挿抜することができる。このようにＣ方向の開放角度を所定の範囲内とすることにより、カートリッジを取り出す際には、ユーザの指の大きさなどを考慮して十分な広さの角度を確保することができ、一方、カートリッジを挿入する際の誤挿入を低減するだけの十分な狭さの角度を確保することができる。
【００１５】
また、本実施形態においては、ロック機構１６に直接グリップベルトによる荷重が掛からないため、補強部材を最小限にすることによりロック機構１６周辺の小型化が可能となっている。
【００１６】
図７は、ＤＶＤカメラ６のディスク装着装置１２に丸型カートリッジ１０を挿抜する時の位置関係を示したものである。図５の説明で述べた内容と同様に、丸型カートリッジ１０をＤ方向に挿抜するようになっている。
【００１７】
次に、図７のディスク装着装置１２の構造を図９及び図１０を用いて説明する。図９はディスク装着装置１２の分解図の一部である。特に矢印１７で示した箇所の反対側の構造を示した図が図１０である。本実施形態においては、図６で示したようにＣ方向の開放角度を所定の範囲内にする必要がある。そのために、板に穴１８をあけ、ディスクカバーの突起１９を引っ掛ける構成とする。この場合の、開放角度は図１０に示すように２４度である。しかし、この角度は、２４度に限らない。但し、２３度から３４度である必要がある。このようにＣ方向の開放角度を所定の範囲内とすることにより、カートリッジを取り出す際には、ユーザの指の大きさなどを考慮して十分な広さの角度を確保することができ、一方、カートリッジを挿入する際の誤挿入を低減するだけの十分な狭さの角度を確保することができる。なお、開放角度を制限する方法は、図１０に示した方法に限られない。
【００１８】
図８は、ディスクカバー７を図５の右下面を正面になるように配置した図である。図５で説明したように、支持部Ｈと支持部Ｉの箇所でグリップベルト８を支持している。Ｊはディスクカバー７の開閉の支点の軸を表している。
【００１９】
ここで、支持部Ｈと支持部Ｉは開閉支点軸Ｊの近くに配置してある。即ち、カメラを通常状態に置いた場合に、撮影者側カバー１３の上側（空側）よりも下側（地面側）に近い位置に支持部Ｈを配置する。また、カメラを通常状態に置いた場合に、撮影レンズ側カバー１５の上側（空側）よりも下側（地面側）に近い位置に支持部Ｉを配置する。このように配置することにより、丸型カートリッジ１０の挿抜をすることができる程度に適度にディスクカバー７を開くことができる。なお、ディスクカバーの開く角度については前述のとおりである。
【００２０】
【発明の効果】
本発明によれば、光ディスク状記録媒体に情報を記録する撮影装置の小型化を図ることができる。
【図面の簡単な説明】
【図１】従来のＤＶＤカメラ１の斜視図である。
【図２】ＤＶＤカメラ１から角型カートリッジ４を取り出した状態の斜視図である。
【図３】ＤＶＤカメラ１のディスク装着装置１１に角型カートリッジ４を挿入する時の位置関係を示したものである。
【図４】ディスクカバー２を、図５の右下面が正面になるように配置した図である。
【図５】本発明を実施したＤＶＤカメラ６の斜視図である。
【図６】ＤＶＤカメラ６から情報記録用ディスク丸型カートリッジ１０を取り出した状態の斜視図である。
【図７】ＤＶＤカメラ６のディスク装着装置１２に丸型カートリッジ１０を挿入する時の位置関係を示したものである。
【図８】ディスクカバー７を、図５の右下面が正面になるように配置した図である。
【図９】ディスク装着装置の説明図
【図１０】ディスク装着装置の説明図
【符号の説明】
１・・・従来のＤＶＤカメラ、２・・・ディスクカバー、３・・・グリップベルト、４・・・角型カートリッジ、５・・・カバー操作ボタン、６・・・本発明を実施したＤＶＤカメラ、７・・・ディスクカバー、８・・・グリップベルト、９・・・カバー操作ボタン、１０・・・丸型カートリッジ、１１・・・ディスク装着装置、１２・・・ディスク装着装置、１３・・・撮影者側カバー、１４・・・グリップ側カバー、１５・・・撮影レンズ側カバー、１６・・・ロック機構、Ａ・・・ディスクカバーが開く方向、Ｂ・・・ディスク角型カートリッジ４を着脱する方向、Ｃ・・・ディスクカバーが開く方向、Ｄ・・・情報記録用ディスクを着脱する方向、Ｅ・・・グリップベルト支持部、Ｆ・・・グリップベルト支持部、Ｇ・・・ディスクカバー開閉の支点軸、Ｈ・・・グリップベルト支持部、Ｉ・・・グリップベルト支持部、Ｊ・・・ディスクカバー開閉の支点軸
【図１】
2004214752.tif 000003
【図２】
2004214752.tif 000004
【図３】
2004214752.tif 000005
【図４】
2004214752.tif 000006
【図５】
2004214752.tif 000007
【図６】
2004214752.tif 000008
【図７】
2004214752.tif 000009
【図８】
2004214752.tif 000010
【図９】
2004214752.tif 000011
【図１０】
2004214752.tif 000012